(57)【要約】【課題】ディスクを挿入及び取り出す際の操作性を向上する。【解決手段】撮像部を有する本体部と、撮像した画像を円盤状の記録媒体に記録可能な記録部とを有する撮像装置において、前記記録部に、前記記録媒体が前記本体部の側面と平行な方向に挿入若しくは取り出し可能なスリット状の開口部を設け、前記記録部における前記開口部の端部を切り欠いて形成し、前記開口部の一端部及び他端部の少なくとも１つが、前記開口部の中心部より前記記録媒体の挿入方向にオフセットした位置にある。【選択図】図１
2007281828.tif 000002
【特許請求の範囲】
【請求項１】
撮像部を有する本体部と、撮像した画像を円盤状の記録媒体に記録可能な記録部とを有する撮像装置において、
前記記録部に、前記記録媒体が前記本体部の側面と平行な方向に挿入若しくは取り出し可能なスリット状の開口部を設け、
前記記録部における前記開口部の端部を切り欠いて形成し、
前記開口部の一端部及び他端部の少なくとも１つが、前記開口部の中心部より前記記録媒体の挿入方向にオフセットした位置にあることを特徴とする撮像装置。
【請求項２】
前記開口部の中心部に対して、前記開口部の一端部を上方、他端部を下方に配置したことを特徴とする請求項１に記載の撮像装置。
【請求項３】
前記開口部が、前記本体部の背面側に設けられ、当該背面側に突出する円弧状に形成されていることを特徴とする請求項２に記載の撮像装置。
【請求項４】
前記開口部が前記撮像部のレンズが設けられた前記本体部の前面側に設けられ、当該前面側に突出する円弧状に形成されていることを特徴とする請求項２に記載の撮像装置。
【請求項５】
前記記録部における前記開口部が設けられた前面側とは反対の背面側には、装置の動作態様に応じて機能が変化する少なくとも１つのスイッチが設けられていることを特徴とする請求項４に記載の撮像装置。
【請求項６】
前記開口部の中心部に対して、前記開口部の一端部を前方、他端部を後方に配置したことを特徴とする請求項１に記載の撮像装置。
【請求項７】
前記開口部が、前記本体部の上面側に設けられ、当該上面側に突出する円弧状に形成されていることを特徴とする請求項６に記載の撮像装置。
【請求項８】
前記開口部の一端部及び他端部が、前記開口部の鉛直方向の中心部に対して対称の位置にあることを特徴とする請求項１乃至５のいずれか１項に記載の撮像装置。
【請求項９】
前記開口部が、当該開口部の鉛直方向の中心部に対して非対称に形成されていることを特徴とする請求項１乃至５のいずれか１項に記載の撮像装置。
【請求項１０】
前記開口部が、当該開口部の前後方向の中心部に対して非対称に形成されていることを特徴とする請求項１，６、７のいずれか１項に記載の撮像装置。
【請求項１１】
前記記録部には、前記開口部を介して挿入された前記記録媒体を前記記録部に格納すると共に、前記記録媒体の取り出し時において、前記記録部内に格納された前記記録媒体を、前記開口部から当該記録媒体の少なくとも最大外形部が露出する位置まで突出させる機構が設けられていることを特徴とした請求項１乃至１０のいずれか１項に記載の撮像装置。
【請求項１２】
前記表示部は、前記本体部の背面側に設けられたスイッチ類を覆い隠す収納位置と、前記スイッチ類を操作可能に露出させる開放位置とに移動可能に設けられていることを特徴とした請求項１乃至１１のいずれか１項に記載の撮像装置。
【発明の詳細な説明】
【技術分野】
【０００１】
本発明は、撮像装置に対して円盤状の記録媒体の挿入・取り出しを行うための構造に関する。
【背景技術】
【０００２】
近年、円盤状の記録媒体（ＤＶＤ−Ｒ／ＲＷ／ＲＡＭ等）を使用した撮像装置が急速に普及してきている。特にＤＶＤ等のディスクを利用したカムコーダー（以下、ディスクカムコーダー）は、再生時の頭出しが不要、画像の削除・編集等が容易といったメリットがあり、今後も益々普及が進むことが予想される。
【０００３】
現行のディスクカムコーダーは、撮像を行うレンズやＣＣＤ等で構成される撮像部及び撮像した画像を表示するファインダーやＬＣＤ等が配置された本体部と、ＤＶＤ等の記録媒体を収納し、撮影画像を記録媒体に記録する記録部等から構成されている。これら本体部と記録部はディスクカムコーダーの背面（レンズと反対側の面）から見て並列に配置されており、左側に本体部、右側に記録部が配置され、撮影時にユーザーは右手で記録部側を把持して撮影を行う。
【０００４】
更に、記録部は、ディスクを装填するディスク装填部、ディスクに対する情報の書き込みや読み取り行う光ピックアップ、この光ピックアップをディスクの径方向に移動させるドライブ部やそれを制御するためのドライブ基板等からなる主部を備える。更に、記録部は、主部に対して開閉自在で、開いているときにディスク装填部にディスクを装填可能なディスクカバー部を備える。ディスクの挿入や取り出しを行う際には、多くの携帯型のディスク記録再生装置（携帯型ＣＤプレーヤー等）の場合と同様に、ディスクカバー部を回動させて主部に対して大きく開き、ディスク装填部に対するディスクの着脱を行う。
【０００５】
また、据え置き型のディスク記録再生装置等ではディスクカバーを開けてディスクの挿入・取り出しを行うのではなく、ディスク挿入部に長細い開口部を設け、ディスクを側方から挿入させるタイプ（スロットイン方式）も多く見受けられる。このスロットイン方式のディスクローディング装置は、例えば特許文献１に、円盤状の本体側面にディスク挿入口となる開口部が形成された携帯型ＣＤプレーヤにおけるＣＤローディング装置として提案されている。
【特許文献１】特開平１１−３１２３５１号公報
【発明の開示】
【発明が解決しようとする課題】
【０００６】
現行のディスクカムコーダーにおいては、前述したようなディスクカバーを大きく開いてディスクの挿入・取り出しを行うタイプが主流であるが、このタイプでは以下のような問題点がある。
【０００７】
撮影時、ユーザーは記録部を把持して撮影を行う。このため、撮影姿勢のままディスクの挿入・取り出しを行うことができず、ディスクの交換等を行う際には一度ディスクカムコーダーを持ち直してディスクカバーを開閉し、ディスクの挿入・取り出しを行う必要がある。その結果、ディスクの交換を迅速且つスムーズに行うことができず、大事な場面を記録し損なう等のケースが考えられ、現状のディスクカムコーダーはディスクの挿入・取り出し時の操作性に改善の余地がある。更に、ディスクカバーは開閉時の回動方向が決まっているので、ディスクの挿入・取り出し方向が限定されてしまい、ディスクの挿入しやすさの点でも好ましくない。
【０００８】
上記問題を改善するにあたって、上記特許文献１のようなスロットイン方式をディスクカムコーダーに応用できれば、ユーザーが撮影状態において、片手でディスクカムコーダーを把持し、もう一方の手でディスクを本体側方から挿入可能となり有効である。
【０００９】
しかしながら、上記問題を改善するには、スロットイン方式をディスクカムコーダーに応用する際に、ディスクの挿入・取り出しを行うための開口部を、ユーザーが操作しやすい位置に配置し、その形状もユーザーが操作しやすい形状にする必要がある。
【００１０】
本発明は、上記課題に鑑みてなされ、その目的は、撮影状態のままで記録媒体を迅速且つスムーズに交換でき、操作性を向上できる撮像装置を実現することである。
【課題を解決するための手段】
【００１１】
上記課題を解決し、目的を達成するために、本発明は、撮像部を有する本体部と、撮像した画像を円盤状の記録媒体に記録可能な記録部とを有する撮像装置において、前記記録部に、前記記録媒体が前記本体部の側面と平行な方向に挿入若しくは取り出し可能なスリット状の開口部を設け、前記記録部における前記開口部の端部を切り欠いて形成し、前記開口部の一端部及び他端部の少なくとも１つが、前記開口部の中心部より前記記録媒体の挿入方向にオフセットした位置にある。
【発明の効果】
【００１２】
本発明によれば、撮影状態のままで記録媒体を迅速且つスムーズに交換でき、操作性が向上する。
【発明を実施するための最良の形態】
【００１３】
以下に、添付図面を参照して本発明の好適な実施形態について、円盤状の記録媒体を装填可能なディスクカムコーダーに適用した例を説明する。
【００１４】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１５】
［第１の実施形態］
図１乃至図３は、本発明に係る第１の実施形態のディスクカムコーダーの斜視図である。
【００１６】
図１乃至図３において、１０は撮像部や表示部等を備えるディスクカムコーダー本体（以下、カムコーダー本体という。）である。１１は撮影画像の記録等を行う記録部である。１０１は被写体像を撮像するためのレンズである。１０２は撮像／再生情報を表示するＬＣＤ表示部である。１０３はＬＣＤ表示部１０２とカムコーダー本体１０とを連結するヒンジである。１０４はカムコーダー本体１０に対して回転可能に組み込まれたモードダイアルである。１０５は押下することで撮影をスタート・ストップすることのできるトリガースイッチである。
【００１７】
１０６は撮影時や再生時に項目を選択するためのカーソルを自在に動かすことのできる十字キーである。１０７は押下することで十字キー１０６で選択した項目の決定等を行うことができる決定スイッチである。１０８はディスクの挿入・取り出しを行うための開口部が設けられたディスク挿入・取り出し部である。１０９はディスクをカムコーダー本体１０の側面に対して平行に挿入・取り出しが行えるように上下方向にスリット状に延び、背面側に凸の円弧状に形成された開口部である。
【００１８】
１１４はスライドさせることでディスクの取り出しを行うことができるイジェクトスイッチである。１１０はスライドさせることでズーム操作を行うことができるズームスイッチである。１１１は押下することで静止画を記録することができるフォトスイッチである。１１２はカムコーダー本体に電源を供給するバッテリーである。１３０は撮影された動画や静止画を記録できる円盤状の記録媒体としてのＤＶＤ等のディスクである。４０１は開口部１０９の上下方向の中心位置、４０３は開口部１０９の上端部、４０４は開口部１０９の下端部を夫々示している。
【００１９】
カムコーダー本体１０は、背面（レンズ１０１側とは反対側の面）から見てカムコーダー本体１０と記録部１１とが上下方向に並列に配置されており、図１中の破線によって隔てられるように右側に本体部、左側に記録部が配置される。尚、正面（レンズ１０１側）から見て手前の面を前面、前面に対面する後ろ側の面を背面、右側の面を右側面、右側面に対面する左側の面を左側面、上側の面を上面、上面に対面する下側の面を下面とする。
【００２０】
図１及び図２は、ディスクカムコーダーで撮影を行っている状態を示している。
【００２１】
ユーザーは、撮影時に右手でカムコーダー本体１０側（左側面）をストラップ等を介して把持して撮影を行う。ユーザーがカムコーダー本体１０を把持する右手の指が掛けられる部分はレンズ１０１を覆う筐体であるため、レンズ１０１の外周に合わせた曲面形状で構成されている。これにより、カムコーダー本体１０が、カムコーダー本体１０を把持するユーザーの手の形と適合するので、撮影時にカムコーダー本体１０を把持しやすくなる。
【００２２】
レンズ１０１を介して入射する被写体の光学像は、レンズ１０１後方の光軸上に設置された図示しないＣＣＤ等の受光素子によって撮像されて電気信号に変換される。また、この電気信号は、カムコーダー本体１０内部の図示しない画像処理回路基板によって、デジタル信号への変換や現像、圧縮処理等が施されて画像データとしてディスクに記録される。更に、画像データは、フレキシブルケーブル等の信号伝達手段によってＬＣＤ表示部１０２の背面に設置された図示しない画像表示回路基板に伝達され、ＬＣＤ表示部１０２に表示することができる。
【００２３】
ＬＣＤ表示部１０２は、ＬＣＤパネルを保持する筐体がヒンジ１０３によってカムコーダー本体１０に対して光軸方向を回転軸として矢印Ａ方向に回動自在に連結されている。これにより、ユーザーは撮影中にＬＣＤ表示部１０２を矢印Ａ方向に回動させ、撮影内容を視認しやすい位置に移動させることができる。更に、ＬＣＤ表示部１０２は、ヒンジ１０３に対して矢印Ｂ方向に回転可能であるので、ＬＣＤ表示部１０２を回転させ被写体側に撮影内容を表示させながら撮影を行うこともできる。
【００２４】
１０５は、撮影をスタート／ストップする際に使用するトリガースイッチである。１０６は、撮影時や再生時に各メニュー等の項目を選択するためのカーソルを自在に動かすことのできる十字キーである。１０７は、十字キー１０６で選択した項目の決定等を行うことができる決定スイッチである。これらのスイッチ１０５〜１０７は、カムコーダー本体１０の背面に形成された凹部に設けられ、カムコーダ本体１０を把持した手の親指を使って操作することができる。
【００２５】
また、図３に示すように、撮影終了時にはＬＣＤ表示部１０２の表示面をカムコーダー本体１０の背面側に向けて収納し表示面を保護すると共に、上記凹部に設けられた各スイッチ１０５〜１０７を覆う状態となる。よって、各スイッチ１０５〜１０７の誤操作防止にも役立っている。特にスロットイン方式では、誤操作によってディスクがイジェクトされてしまいディスクを傷付けてしまうという不都合を防止できる。カムコーダー本体１０の背面上部には撮影モードや再生モード等の各モードを切り替えるためのモードダイアル１０４が配置される。
【００２６】
モードダイアル１０４はカムコーダー本体１０に対して光軸方向を回転軸として回転可能に取り付けられている。これにより、モードダイアル１０４を回転させることで各モードを切り替える際に、撮影状態においても左手を使ってモードダイアル１０４を操作することが可能である。１１０はズームを行うためのズームスイッチ、１１１は静止画を撮影するためのフォトスイッチであり、これらスイッチ１１０，１１１は、ユーザーがカムコーダー本体１０を把持する手の人差し指若しくは中指が係る部分の曲面に設けられる。
【００２７】
ズームを行う際には、ユーザーはカムコーダー本体１０を把持した手の人差し指若しくは中指を使ってズームスイッチ１１０をスライドさせる。また、静止画を撮影する際には、ユーザはカムコーダー本体１０を把持した手の人差し指若しくは中指を使ってフォトスイッチ１１１を押圧する。カムコーダー本体１０の背面から見て右側の側面に設けられた凹部にはバッテリー１１２が配置され、カムコーダー本体１０に電源を供給する。バッテリー１１２はカムコーダー本体１０に対して着脱可能であり、図示しないロック機構によってカムコーダー本体１０に保持される。
【００２８】
カムコーダー本体１０の背面から見て左側には記録部１１が配置されている。記録部１１におけるカムコーダー本体１０の背面寄りの部位は半円状に切り欠かれ、ディスク挿入・取り出し部１０８を形成しており、カムコーダー本体１０の側面と平行な方向に開口部１０９が形成されている。開口部１０９の上端部４０３は、開口部中心４０１の鉛直方向の上方に位置し、下端部４０４は、開口部中心４０１の鉛直方向の下方に位置している。
【００２９】
図１中の矢印Ｃはディスク１３０の挿入方向を示しており、開口部中心４０１に対して、開口部１０９の上端部４０３及び下端部４０４はいずれもディスク１３０の挿入方向Ｃ側に位置する。また、開口部１０９の上端部４０３及び下端部４０４は開口部中心４０１からカムコーダー本体１０の水平線Ｄに対して鉛直方向に対称の位置にある。即ち、半円状に形成されたディスク挿入・取り出し部１０８及び開口部１０９はカムコーダ本体１０の側面と平行にカムコーダー本体１０の背面に向かって形成されている。これにより、ユーザは、カムコーダー本体１０の背面から側面に平行な方向にディスクの挿入・取り出しを行う。
【００３０】
次に、ディスク１３０の挿入・取り出し時の動作を図４〜図７を参照して説明する。
【００３１】
図４乃至図７は本実施形態のディスクカムコーダーにおけるディスクドライブユニットの構成を示している。
【００３２】
図４乃至図７に示すように、２０はディスク１３０へデータを書き込んだり、ディスク１３０に保存されているデータを呼び出すことのできるディスクドライブユニットである。２０１はディスクドライブユニット２０を構成する各部材が取り付くシャーシである。２０２はディスク１３０にレーザー光を当てディスクに情報を保存したりディスクの情報を読み取ることができる光学ピックアップユニットである。２０３はディスク１３０を周方向に回転させるスピンドルユニットである。２０４はスピンドルユニット２０３と一体的に構成され、ディスク１３０をスピンドルユニット２０３に装着するディスク装着部である。２０５はディスク装着部２０４と一体的に構成され、ディスク１３０をディスク装着部２０３に保持するためのディスク保持爪である。
【００３３】
２０６はディスクドライブユニット２０を制御するディスクドライブ制御基板である。２０７は光学ピックアップユニット２０２とディスクドライブ制御基板２０６とを接続し信号を行き来させるフレキシブルケーブルである。２０８はスピンドルユニット２０３とディスクドライブ制御基板２０６とを接続して信号を行き来させるフレキシブルケーブルである。２０９は光学ピックアップユニット２０２をディスク１３０の半径方向に沿って移動させるトラバースモーターである。２１０はスピンドルユニット２０３を昇降させるＤＣモーターである。
【００３４】
２１１，２１２はディスクドライブユニット２０の上部及び下部に配置されて、ディスク１３０が挿入された際、ディスクドライブユニット２０の内部にディスク１３０を引き込むための一対の呼び込みアームである。２１３はディスク１３０をディスクドライブユニット２０の外部へ押し出すためのイジェクトアームである。２１４はディスク１３０がディスクドライブユニット２０内部に挿入されたときに所定の位置にディスク１３０を付勢する補助アームである。４０５は開口部１０９からディスク１３０を突出させた状態における、ディスク１３０の最大外形部の上端側、４０６は開口部１０９からディスク１３０を突出させた状態におけるディスク１３０の最大外形部の下端側である。
【００３５】
図４はディスクドライブユニット２０が待機位置にあるときの状態を示し、図５は図４の左側面図である。図６はディスクドライブユニット２０及びディスク１３０がハーフイジェクトの状態を示し、図７はディスクドライブユニットにディスク１３０がチャッキングされた状態を夫々示している。尚、図６及び図７は、理解を容易にするため、記録部１１と共にディスクドライブユニット２０を示している。
【００３６】
＜ディスクの挿入＞
ディスク１３０を挿入する際、ユーザーは右手でカムコーダー本体１０を把持し、カムコーダー本体１０の背面側から左手を使ってディスク１３０をカムコーダー本体１０の側面に対して平行な方向に挿入する。
【００３７】
図４において、ディスク１３０を矢印Ｅ方向に挿入すると、ディスク１３０は先ず呼び込みアーム２１１及び２１２と接触する。
呼び込みアーム２１１及び２１２はディスクドライブユニット２０の内側に回転する方向（ディスク１３０をディスクドライブユニット２０の内側に引き込む方向）へ図示しないねじりバネ等によって付勢されている。これにより、ディスク１３０が接触した直後は付勢されている方向と逆の方向に回転し、ユーザーがある所定位置までディスク１３０を押し込むと、バネの力によってディスク１３０をディスクドライブユニット２０の内部へ引き込む。
【００３８】
ディスク１３０が押し込まれている途中で、ディスク１３０は、ディスクドライブユニット２０の外側に回転する方向（ディスク１３０をディスクドライブユニット２０の外側へ押し出す方向）に付勢されたイジェクトアーム２１３と接触する。イジェクトアーム２１３はディスク１３０によって付勢されている方向と反対の方向に押し戻され、所定の位置まで移動すると図示しないロック機構によってロックされる（図７の位置）。
【００３９】
また、ディスク１３０が押し込まれている途中でディスク１３０は補助アーム２１４に接触する。補助アーム２１４はディスクドライブユニット２０の外側に回転する方向（ディスク１３０をディスクドライブユニット２０の外側へ押し出す方向）に付勢されている。これにより、ディスク挿入の際にはディスク１３０を押し戻す方向に回転し、呼び込みアーム２１１及び２１２と共にディスク１３０をディスク装着部２０４の中心へガイドする。
【００４０】
ディスクがディスク装着部２０４の略中心までガイドされると、ディスクドライブ制御基板２０６上の図示しないセンサによって感知・制御される。すると、スピンドルユニット２０３及びディスク装着部２０４、ディスク保持爪２０５がＤＣモーター２１０によってディスク１３０へ向けて上昇する。このとき、ディスク１３０の図示手前側（ラベル面側）は記録部１１の内壁に設置された図示しない板金部材と接触し、上側から抑えられた状態となり、ディスク１３０は下側から上昇してくるスピンドルユニット２０３とに挟まれる。そして、ディスク保持爪２０５がディスク１３０の中心の嵌合穴に嵌り込み、ディスク装着部２０４にロックされる。ディスク装着部２０４への装着が完了すると、呼び込みアーム２１１及び２１２、補助アーム２１４はディスク１３０と接触しない位置まで移動し、図示しないロック機構によってロックされる（図７の位置）。
【００４１】
情報を記録及び再生する際には、図７の状態にてスピンドルユニット２０３と共にディスク１３０が回転する。そして、光学ピックアップユニット２０２がトラバースモーター２０９によってディスク１３０の半径方向に移動しながら、レーザー光をディスク１３０に当て情報の記録・再生を行う。
【００４２】
＜ディスクの取り出し（イジェクト）＞
ディスク１３０の取り出しを行う際には、ユーザーは右手でカムコーダー本体１０を把持した状態で、右手の親指を使ってイジェクトスイッチ１１４をスライドさせる。イジェクトスイッチ１１４をスライドさせると、図示しないセンサがスライドスイッチ１１４の動きを検知し、センサからディスクドライブ制御基板２０６に信号が伝わり、ディスクドライブユニット２０はイジェクト動作を開始する。
【００４３】
ディスク１３０をイジェクトする際には、先ず呼び込みアーム２１１及び２１２、補助アーム２１４のロックが外れてディスク１３０と接触する。次に、スピンドルユニット２０３及びディスク装着部２０４、ディスク保持爪２０５が下降し、ディスク１３０からディスク保持爪２０５が外れてディスクのロックが解除される。そして、イジェクトアーム２１３のロックが外れてディスク１３０を外へ押し出す方向へ回転し、ディスク１３０を所定位置までイジェクトさせる。
【００４４】
また、開口部１０９の孔の内壁は図示しない弾性部材によって形成されている。イジェクトされて開口部１０９から出てきたディスク１３０は、この弾性部材とのフリクションによってディスク１３０の最大外形部の上端４０５及び下端４０６が開口部１０９より突出した状態（ハーフイジェクト）に固定される（図６の状態）。ユーザーは、図６の状態で右手を使ってカムコーダー本体１０を把持したまま、ディスク１３０の最大外形部の上端４０５及び下端４０６を左手で挟持して引き出すことによりディスク１３０を完全に取り出すことができる。
【００４５】
＜効果の説明＞
図６のハーフイジェクト状態でユーザーがディスク１３０の外周部を挟持して取り出すには、開口部１０９からディスク１３０の少なくとも最大外形部４０５，４０６が突出している必要がある。ここで、ディスク挿入・取り出し部１０８を半円状に形成し、カムコーダー本体１０の側面と平行な方向に開口部１０９を設けたことによって、ディスク１３０は半円状に切り欠かれた部分から突出することになる。よって、ディスク１３０のイジェクトの際の変位量を少なく設定してイジェクト機構の動きを小さくでき、ディスクイジェクト機構を簡略化することが可能である。
【００４６】
更に、ディスク挿入・取り出し部１０８が半円状に形成されているので、ユーザーがハーフイジェクト状態からディスク１３０を取り出す際に指が当たる等の妨げになるような部分がなく、スムーズにディスク１３０を挟持して取り出すことができる。尚、これらの効果はディスク挿入・取り出し部１０８を半円状に形成した場合に限らず、開口部１０９の開口部中心４０１に対して、開口部１０９の一方及び／又は他方の端部がディスク１３０の挿入方向に向けてオフセットした位置にあれば発揮される。即ち、ディスク挿入・取り出し部１０８の挿入方向に対する上端部若しくは下端部が、ディスク１３０の挿入方向に切り欠かれていればよい。
【００４７】
また、開口部１０９の上端部４０３と下端部４０４とが開口部中心４０１からカムコーダー本体１０の水平線Ｄに対して鉛直方向に対称の位置にあれば、ユーザーは更にハーフイジェクト状態からディスクを挟持して取り出しやすくなる。即ち、上下いずれにも切り欠きを設け、切り欠く量が挿入方向に対して上下方向に等しければよりディスクを挟持して取り出しやすくなる。
【００４８】
以上説明したように、本実施形態によるディスクカムコーダーによれば、半円状に形成されたディスク挿入・取り出し部１０８及び開口部１０９をカムコーダー本体１０の側面と平行な方向にカムコーダー本体１０の背面に向かって設けた。これにより、カムコーダー本体１０の背面側からカムコーダー本体１０の側面と平行な方向にディスクの挿入・取り出しが可能となる。
【００４９】
このような構成において、カムコーダー本体１０を撮影状態で把持したまま、もう一方の手でディスク１３０を挿入・取り出すことしができる。このため、例えば撮影中にディスクの記憶容量がいっぱいになってしまい、急遽ディスクを交換する必要がある時でも撮影姿勢を維持したままディスクの交換が可能であり、迅速且つスムーズに撮影を再開することができる。
【００５０】
また、カムコーダ本体１０の背面からディスクの挿入が可能であるので、長時間撮影等で三脚に固定された状態でも容易にディスクの挿入・取り出しを行うことができる。
【００５１】
また、ディスク挿入・取り出し部１０８及び開口部１０９がカムコーダー本体１０の側面（ユーザーがカムコーダー本体１０を把持する側の側面）から最も遠い位置にある記録部１１の側面側の位置に配置してある。このため、カムコーダー本体１０を把持した手と最も離間した位置にて、もう一方の手を使いディスク１３０の挿入・取り出しを行うことができ、ユーザーは容易にディスクの挿入・取り出しを行え、操作性に優れる。
【００５２】
これに対して、ディスク挿入・取り出し部１０８及び開口部１０９をカムコーダー本体の底面に配置した場合、即ち、開口部中心４０１に対して、開口部１０９の上端部４０３及び下端部４０４をいずれもカムコーダー本体の鉛直方向下方に配置したと仮定する。この場合には、ディスクカムコーダーを三脚に固定して使用する際にディスクの交換が困難になる。更に、ハーフイジェクト状態において、ディスクの自重によりディスクを保持するのが難しくなってしまい、ディスクの取り出し時にディスクが落下するおそれがある。
【００５３】
また、図８に示すように、本実施形態のディスクカムコーダーでは、ディスク挿入・取り出し部１０８及び開口部１０９に対するディスク１３０の挿入・取り出し可能な方向及び範囲を広く確保することができる。図８の１３０Ａ及び１３０Ｂ、１３０Ｃは夫々の方向から挿入されるディスクを示している。
【００５４】
また、ディスク挿入・取り出し部１０８を半円状に形成し、その半円状の面上に開口部１０９を広く形成できるのでディスクの挿入方向の自由度が高くなる。また、ディスクドライブユニット２０内側の呼び込みアーム２１１及び２１２、補助アーム２１４によって、所定の角度以内で挿入されるディスク１３０はディスク装着部２０４の中心へガイド及びチャッキングされ、記録・再生が可能となる。
【００５５】
また、ディスク１３０が円盤状であるため、ディスクカムコーダーの記録部１１を最も小型にしたいならば、ディスクの外形に沿って記録部を円形状に形成することになる。ここで、本実施形態のディスクカムコーダーではディスク挿入・取り出し部１０８を半円状に形成したことにより、外観上最も小さく見えるデザインを実現している。
【００５６】
［第２の実施形態］
図９は本発明に係る第２の実施形態のディスクカムコーダーの斜視図、図１０は第２の実施形態に係るディスクカムコーダーの側面図を夫々示している。尚、本実施形態に係るディスクカムコーダーの構成要素及び機能において、第１の実施形態に係るディスクカムコーダーと実質的に同一の要素には同一の符号を付して説明を省略する。
【００５７】
第１の実施形態に係るディスクカムコーダーと異なるのは、ディスク挿入取り出し部１０８及び開口部１０９をカムコーダー本体１０の鉛直方向上方に配置したところである。記録部１１の内部には第１の実施形態で説明したディスクドライブユニット２０がカムコーダー本体１０の鉛直方向に沿って上向きに配置されている。
【００５８】
図９及び図１０は本実施形態に係るディスクカムコーダーの撮影状態で、ディスク１３０がハーフイジェクト状態の様子を示している。本実施形態のディスクカムコーダーは背面から見て、カムコーダー本体１０と記録部１１が並列に配置されており、右側にカムコーダー本体１０、左側に記録部１１が夫々配置されている。記録部１１におけるカムコーダー本体１０の上面寄りの部位は半円状に切り欠かれ、ディスク挿入・取り出し部１０８を形成しており、カムコーダー本体１０の側面と平行な方向に開口部１０９が形成されている。開口部１０９の一方の前端部４０３及び他方の後端部４０４は、開口部１０９の中心４０１に対して鉛直方向下方に位置している。
【００５９】
図９中の矢印Ｆはディスク１３０の挿入方向を示しており、開口部中心４０１に対して、開口部１０９の前端部４０３及び後端部４０４はいずれもディスク１３０の挿入方向Ｆに向かって下方にオフセットした位置にある。
【００６０】
また、開口部１０９の前端部４０３及び後端部４０４は開口部中心４０１からカムコーダー本体１０の鉛直方向へ伸びる中心線Ｇに対して対称の位置にある。即ち、本実施形態では、ディスク挿入・取り出し部１０８及び開口部１０９がカムコーダー本体１０の側面と平行な方向にカムコーダー本体１０の上面に向かって設けられている。これにより、ユーザーは、カムコーダー本体１０の上面側からカムコーダー本体１０の側面と平行な方向にディスク１３０の挿入・取り出しを行う。
【００６１】
撮影時、ユーザーは本体部を右手で把持して撮影を行い、ディスク１３０を交換する際には右手で本体部を把持したまま、左手を用いてディスク１３０の挿入・取り出しを行う。
【００６２】
ディスク挿入・取り出し部１０８及び開口部１０９はカムコーダー本体１０の鉛直方向上方に向かって半円状に形成され、カムコーダー本体１０の鉛直方向上方からカムコーダー本体１０の側面と平行な方向にディスク１３０の挿入・取り出しが可能である。これにより、挿入・取り出し可能な方向及び範囲を広くすることができ、スムーズな挿入・取り出しが可能であり、操作性に優れる等のメリットがある。また、長時間撮影等のようにディスクカムコーダーを三脚に固定して撮影を行う際にも、開口部１０９が上方に向いていることで、ディスクカムコーダーを三脚に固定したまま、迅速且つ容易にディスクの交換を行うことができる。更にハーフイジェクト時にディスク１３０がカムコーダー本体１０から鉛直方向上向きにイジェクトされるので、ディスクを取り出す際にディスク１３０が落下してしまう等の問題を回避することができ、ディスクイジェクト機構を簡略化することも可能である。
【００６３】
［第３の実施形態］
図１１及び図１２は本発明に係る第３の実施形態のディスクカムコーダーの斜視図を示している。尚、本実施形態に係るディスクカムコーダーの構成要素及び機能において、第１の実施形態に係るディスクカムコーダーと実質的に同一の要素には同一の符号を付して説明を省略する。
【００６４】
第１の実施形態に係るディスクカムコーダーと異なるのは、ディスク挿入取り出し部１０８及び開口部１０９をカムコーダー本体１０のレンズ１０１の光軸方向に沿って前面側に配置したところである。記録部１１の内部には第１の実施形態で説明したディスクドライブユニット２０がカムコーダー本体１０の鉛直方向に沿って上向きに配置されている。記録部１１の背面側には、モードダイアル１０４により選択される各モードに応じて機能が変化する少なくとも１つの多機能スイッチ１１３が設けられている。
【００６５】
図１１及び図１２は本実施形態におけるディスクカムコーダーの撮影状態で、ディスク１３０がハーフイジェクト状態の様子を示している。本実施形態のディスクカムコーダーは、背面から見て、カムコーダー本体１０と記録部１１が並列に配置されており、図１２の破線によって隔てられるように右側に本体部、左側に記録部が配置されている。
【００６６】
記録部１１におけるカムコーダー本体１０の前面寄りの部位は半円状に切り欠かれ、ディスク挿入・取り出し部１０８を形成しており、カムコーダー本体１０の側面と平行な方向に開口部１０９が形成されている。開口部１０９の上端部４０３は、開口部中心４０１の鉛直方向の上方に位置し、下端部４０４は、開口部中心４０１の鉛直方向下方に位置している。
【００６７】
図１２中の矢印Ｈはディスク１３０の挿入方向を示しており、開口部中心４０１に対して、開口部１０９の一方の上端部４０３及び他方の下端部４０４はいずれもディスク１３０の挿入方向Ｈに向かってオフセットした位置にある。また、開口部１０９の上端部４０３及び下端部４０４は開口部中心４０１からカムコーダー本体１０の水平方向へ伸びる水平線Ｉに対して対称の位置にある。即ち、本実施形態では、ディスク挿入・取り出し部１０８及び開口部１０９がカムコーダー本体１０の側面と平行な方向にカムコーダー本体１０の前面に向かって設けられている。これにより、ユーザーはカムコーダー本体１０の前面側からカムコーダー本体１０の側面と平行な方向にディスクの挿入・取り出しを行う。
【００６８】
撮影時、ユーザーは本体部を右手で把持して撮影を行い、ディスク１３０を交換する際には、右手で把持しているディスクカムコーダーをカムコーダー本体１０の鉛直方向を軸に反時計回りに反転させ、左手を用いてディスクの取り出し・挿入を行う。ディスク挿入・取り出し口１０８及び開口部１０９はカムコーダー本体１０の前面に向かって半円状に構成されており、カムコーダー本体１０の前面側からカムコーダー本体２０の側面と平行な方向にディスク１３０を挿入・取り出しが可能となっている。これにより、挿入・取り出し可能な方向及び範囲を広くすることができ、スムーズな挿入・取り出しが可能であり、操作性に優れる等のメリットがあるほか、カムコーダー本体１０の背面側のスペースを有効に活用することが可能となる。
【００６９】
図１１に示す多機能スイッチ１１３は、モードダイアル１０４によりモードが切り替えられると、図示しない制御基板によって各スイッチの機能を変更することができる。各モードを制御するモード制御基板と、多機能スイッチ１１３を押圧することで各スイッチをオン／オフさせる多機能スイッチの制御基板とが信号伝達ケーブルで接続されて連動する。モードダイアル１０４を回転させることによって、例えばモードダイアル１０４が再生モードの位置にあるときには多機能スイッチ１１３は再生スイッチ・停止スイッチ等の再生動作に関わる機能を持つスイッチへと変化する。また、モードダイアル１０４が撮影モードの位置にあるときには多機能スイッチ１１３はデジタルエフェクト・絞り調節スイッチ等の撮影動作に関わる機能を持つスイッチへと変化する。このように、多機能スイッチ１１３やモードダイアル１０４、トリガースイッチ１０５、十字キー１０６、決定スイッチ１０７等の操作部材をカムコーダー本体１０の背面に集中させることによって、操作性のよいレイアウトを実現することができる。
【００７０】
［第４の実施形態］
図１３は本発明に係る第４の実施形態のディスクカムコーダーの斜視図、図１４は第４の実施形態に係るディスクカムコーダーの側面図を夫々示している。尚、本実施形態に係るディスクカムコーダーの構成要素及び機能において、第１の実施形態に係るディスクカムコーダーと実質的に同一の要素には同一の符号を付して説明を省略する。
【００７１】
第１の実施形態に係るディスクカムコーダーと異なるのは、ディスク挿入・取り出し部１０８を半円状に形成していないところである。より詳細に述べると、ディスク挿入・取り出し部１０８のカムコーダー本体１０の鉛直方向上方に１／４円弧状に前面側にえぐられた切り欠き３０１、下方に面取りした斜面状の切り欠き３０２を夫々形成している。更に、これらの切り欠き３０１，３０２が図１２の矢印Ｊで示すディスク１３０の挿入方向に対して上下に非対称に設けられている。記録部１１の内部には第１の実施形態で説明したディスクドライブユニット２０がカムコーダー本体１０の鉛直方向に沿って上向きに配置されている。
【００７２】
本実施形態のディスクカムコーダーは、背面から見て、本体部と記録部とが並列に配置されており、図１３中の破線によって隔てられるように右側に本体部、左側に記録部が配置されている。
【００７３】
図１３において、開口部１０９の開口部中心４０１に対して、開口部１０９の一方の上端部４０３はカムコーダー本体１０の鉛直方向上方に位置し、他方の下端部４０４はカムコーダー本体１０の鉛直方向下方に位置している。また、開口部中心４０１に対して、開口部１０９の上端部４０３及び下端部４０４はいずれもディスク１３０の挿入方向に向かってオフセットした位置にある。また、開口部１０９の上端部４０３及び下端部４０４は開口部中心４０１からカムコーダー本体１０の水平方向へ伸びる水平線Ｋに対して非対称の位置にある。即ち、本実施形態に係るディスクカムコーダーは、ディスク挿入・取り出し部１０８及び開口部１０９がカムコーダー本体１０の側面と平行な方向にカムコーダー本体１０の背面に向かって設けられている。これにより、ユーザーはカムコーダー本体１０の背面側からカムコーダー本体１０の側面と平行な方向に沿ってディスクの挿入・取り出しを行う。
【００７４】
ディスク１３０を挿入する際は、右手でカムコーダー本体１０を把持し、カムコーダー本体１０の背面側から左手を使ってディスク１３０を挿入する。ディスク１３０を取り出す際には、イジェクトスイッチ１１４をスライドさせると、図示しないイジェクト検知基板からドライブユニット２０に信号を伝送される。そして、ドライブユニット２０によりディスク１３０が開口部１０９からカムコーダー本体１０の側面に対して平行に突出され、ディスク１３０の最大外形部が露出する位置で保持される（ハーフイジェクト状態）。
【００７５】
ユーザーは開口部１０９から突出したディスク１３０の最大外形部を挟持し、ディスク１３０を開口部１０９から完全に取り出すことができる。ここで、ディスク挿入・取り出し部１０８のカムコーダー本体１０の鉛直方向上方及び下方に夫々切り欠き３０１及び３０２を設け、ディスク１３０は切り欠き３０１又は３０２から突出する。これにより、ユーザーはハーフイジェクト状態から容易にディスク１３０を挟持して取り出すことができる。
【００７６】
更に、開口部１０９における、切り欠き３０１側の上端部４０３と切り欠き３０２側の下端部４０４とが開口部中心４０１からカムコーダー本体１０の水平方向へ伸びる水平線Ｋに対して対称の位置にある。これにより、切り欠き量を挿入方向に対してほぼ同等にすれば、ユーザーは更にハーフイジェクト状態からディスク１３０を挟持して取り出しやすくなり、操作性を向上させることができる。
【００７７】
また、ディスク挿入・取り出し部１０８を半円状に形成するのではなく、上下非対称な切り欠きを設けることでデザイン的な自由度が拡大し、更に切り欠いていない部位に操作部材等配置することもでき、スペースを有効に活用することができる。
【００７８】
尚、上記第４の実施形態のように切り欠きを非対称とした形状は、第１の実施形態の開口部に限らず、第２及び第３の実施形態の開口部の形状にも適用可能である。
【図面の簡単な説明】
【００７９】
【図１】本発明に係る第１の実施形態のディスクカムコーダーの斜視図である。
【図２】本発明に係る第１の実施形態のディスクカムコーダーの斜視図である。
【図３】本発明に係る第１の実施形態のディスクカムコーダーの斜視図である。
【図４】第１の実施形態に係るディスクカムコーダーのディスクドライブユニット（待機時）の正面図である。
【図５】第１の実施形態に係るディスクカムコーダーのディスクドライブユニット（待機時）の右側面図である。
【図６】第１の実施形態に係るディスクカムコーダーのディスクドライブユニット（ハーフイジェクト時）の正面図である。
【図７】第１の実施形態に係るディスクカムコーダーのディスクドライブユニット（チャッキング時）の正面図である。
【図８】本発明に係る第１の実施形態のディスクカムコーダーの側面図である。
【図９】本発明に係る第２の実施形態のディスクカムコーダーの斜視図である。
【図１０】本発明に係る第２の実施形態のディスクカムコーダーの側面図である。
【図１１】本発明に係る第３の実施形態のディスクカムコーダーの斜視図である。
【図１２】本発明に係る第３の実施形態のディスクカムコーダーの斜視図である。
【図１３】本発明に係る第４の実施形態のディスクカムコーダーの斜視図である。
【図１４】本発明に係る第４の実施形態のディスクカムコーダーの側面図である。
【符号の説明】
【００８０】
１０  ディスクカムコーダー本体
１１  記録部
２０  ディスクドライブユニット
１０１  レンズ
１０２  ＬＣＤ表示部
１０３  ヒンジ
１０４  モードダイアル
１０５  トリガースイッチ
１０６  十字キー
１０７  決定スイッチ
１０８  ディスク挿入・取り出し部
１０９  開口部
１１０  ズームスイッチ
１１１  フォトスイッチ
１１２  バッテリー
１１３  多機能スイッチ
１１４  イジェクトスイッチ
１３０，１３０Ａ，１３０Ｂ，１３０Ｃ  ディスク
２０１  シャーシ
２０２  光学ピックアップユニット
２０３  スピンドルユニット
２０４  ディスク装着部
２０５  ディスク保持爪
２０６  ディスクドライブ制御基板
２０７、２０８  フレキシブルケーブル
２０９  トラバースモーター
２１０  ＤＣモーター
３０１，３０２  切り欠き
４０１  開口部中心
４０３  上端部又は前端部
４０４  下端部又は後端部
４０５，４０６  最大外形部
【図１】
2007281828.tif 000003
【図２】
2007281828.tif 000004
【図３】
2007281828.tif 000005
【図４】
2007281828.tif 000006
【図５】
2007281828.tif 000007
【図６】
2007281828.tif 000008
【図７】
2007281828.tif 000009
【図８】
2007281828.tif 000010
【図９】
2007281828.tif 000011
【図１０】
2007281828.tif 000012
【図１１】
2007281828.tif 000013
【図１２】
2007281828.tif 000014
【図１３】
2007281828.tif 000015
【図１４】
2007281828.tif 000016